(57)【要約】【課題】収容容器の移動を規制する規制部を有した薬液霧発生装置へ、収容容器を設置する際に要する操作の簡略化を図る。【解決手段】ボトル固定部材９０への薬液ボトル５０の設置は、（Ａ）の矢印７Ａに示すように、まず、貫通孔９３の上方から貫通孔９３に向けて薬液ボトル５０を移動させ、貫通孔９３の内部に、薬液ボトル５０を収容する。次いで、矢印７Ｂに示すように、薬液ボトル５０を時計回り方向に回転させる。これにより、（Ｂ）に示すように、第１規制部９４に設けられた溝９４Ｂ内に、薬液ボトル５０の第１突出部５０Ｄが入り込み、第２規制部９５に設けられた溝９５Ｂ内に、薬液ボトル５０の第２突出部５０Ｅが入り込む。【選択図】図７
2015198774.tif 000002
【特許請求の範囲】
【請求項１】
薬液を霧状とし薬液霧を発生させる薬液霧発生装置であって、
前記薬液を収容した収容容器が置かれ当該収容容器の底部を支持する容器設置部と、
前記収容容器の一部の移動を規制する移動規制部であって、予め定められた移動規制位置に配置された当該一部の移動を規制する移動規制部と、
を備え、
前記容器設置部に置かれた前記収容容器を、周方向に回転させ又は当該収容容器の径方向にスライド移動させることで、前記移動規制位置へ前記一部が達するように構成された薬液霧発生装置。
【請求項２】
前記移動規制位置から前記一部が外れる方向への、前記収容容器の回転又は移動を抑制する抑制手段を更に備えることを特徴とする請求項１に記載の薬液霧発生装置。
【請求項３】
前記収容容器に一端が取り付けられ、当該収容容器に巻き付くように設けられ、当該収容容器に空気を供給する供給管を更に備え、
前記抑制手段は、前記供給管によって構成されていることを特徴とする請求項２に記載の薬液霧発生装置。
【請求項４】
前記収容容器は、当該収容容器の外周面から突出した突出部を備え、
前記移動規制部は、前記収容容器の前記突出部の移動を規制し、
前記突出部は、複数設けられ且つ前記収容容器の周方向における位置が互いに異なるように設けられ、
前記移動規制部は、複数設けられた前記突出部に対応するように複数設けられていることを特徴とする請求項１乃至３の何れかに記載の薬液霧発生装置。
【請求項５】
前記収容容器は、当該収容容器の外周面から突出した突出部を備え、
前記移動規制位置には、凹部が設けられ、
前記収容容器の前記突出部が前記凹部に入り込むことで、前記移動規制部による移動の規制が行われることを特徴とする請求項１乃至３の何れかに記載の薬液霧発生装置。
【発明の詳細な説明】
【技術分野】
【０００１】
本発明は、薬液霧発生装置に関する。
【背景技術】
【０００２】
特許文献１には、医療用機器として機能するネブライザキャビネットが開示されている。このネブライザキャビネットでは、キャビネット本体内部に薬液収容部を設けた噴霧装置を内蔵し、圧縮空気を噴霧装置内に導入し、薬液収容部内の薬液と混合して噴霧状態にして噴霧する。
【先行技術文献】
【特許文献】
【０００３】
【特許文献１】特開２００９−１１６６９号公報
【発明の概要】
【発明が解決しようとする課題】
【０００４】
薬液霧発生装置では、例えば、薬液を収容した収容容器に対して圧縮空気を供給して薬液霧を発生させる。
ここで、薬液を収容した収容容器が傾いたりすると、薬液霧が生成されなくなるなどの不具合が生じることがあり、収容容器の傾きなどを規制する規制部を設けることが好ましい。その一方で、このような規制部を設けると、この規制部による規制が行われるようにするための操作が別途必要となり、収容容器の設置に手間を要するようになる。
本発明の目的は、収容容器の移動を規制する規制部を有した薬液霧発生装置へ、収容容器を設置する際に要する操作の簡略化を図ることにある。
【課題を解決するための手段】
【０００５】
かかる目的のもと、本発明が適用される薬液霧発生装置は、薬液を霧状とし薬液霧を発生させる薬液霧発生装置であって、前記薬液を収容した収容容器が置かれ当該収容容器の底部を支持する容器設置部と、前記収容容器の一部の移動を規制する移動規制部であって、予め定められた移動規制位置に配置された当該一部の移動を規制する移動規制部と、を備え、前記容器設置部に置かれた前記収容容器を、周方向に回転させ又は当該収容容器の径方向にスライド移動させることで、前記移動規制位置へ前記一部が達するように構成された薬液霧発生装置である。
ここで、前記移動規制位置から前記一部が外れる方向への、前記収容容器の回転又は移動を抑制する抑制手段を更に備えることを特徴とすることができる。この場合、収容容器の一部が移動規制位置から外れる方向への収容容器の回転や移動を抑制することができる。
また、前記収容容器に一端が取り付けられ、当該収容容器に巻き付くように設けられ、当該収容容器に空気を供給する供給管を更に備え、前記抑制手段は、前記供給管によって構成されていることを特徴とすることができる。この場合、収容容器の回転や移動を抑制するための専用の機構を用意せずに、収容容器の回転や移動を抑制することができる。
また、前記収容容器は、当該収容容器の外周面から突出した突出部を備え、前記移動規制部は、前記収容容器の前記突出部の移動を規制し、前記突出部は、複数設けられ且つ前記収容容器の周方向における位置が互いに異なるように設けられ、前記移動規制部は、複数設けられた前記突出部に対応するように複数設けられていることを特徴とすることができる。この場合、突出部および移動規制部の各々が単数である場合に比べ、収容容器の回転や移動をより効果的に抑制できるようになる。
また、前記収容容器は、当該収容容器の外周面から突出した突出部を備え、前記移動規制位置には、凹部が設けられ、前記収容容器の前記突出部が前記凹部に入り込むことで、前記移動規制部による移動の規制が行われることを特徴とすることができる。この場合、簡易な構成で、収容容器の一部の移動を規制することができる。
【発明の効果】
【０００６】
本発明によれば、収容容器の移動を規制する規制部を有した薬液霧発生装置へ、収容容器を設置する際に要する操作の簡略化を図ることができる。
【図面の簡単な説明】
【０００７】
【図１】耳鼻咽喉科で用いられる噴霧装置（ネブライザー）の斜視図である。
【図２】空気排出部に接続された薬液霧発生ユニットを示した図である。
【図３】上部パネルおよび薬液台の図示を省略した状態の噴霧用ユニットを示した図である。
【図４】噴霧用ユニットの斜視図である。
【図５】噴霧用ユニットの斜視図である。
【図６】薬液ボトルを説明する図である。
【図７】（Ａ）および（Ｂ）は、収容皿の上に設置されるボトル固定部材を説明する図である。
【図８】薬液ボトル、空気供給用チューブ等を上方から眺めた場合の図である。
【図９】第１規制部を省略したボトル固定部材を示した図である。
【図１０】（Ａ）および（Ｂ）は、ボトル固定部材の他の構成例を示した図である。
【発明を実施するための形態】
【０００８】
以下、添付図面を参照して、本発明の実施の形態について詳細に説明する。
図１は、耳鼻咽喉科で用いられる噴霧装置（ネブライザー）１の斜視図である。
薬液霧発生装置の一例としての噴霧装置１は、箱状に形成された装置本体１Ａを備えている。この装置本体１Ａは、上面１１、底面１２、左側面１３、右側面１４、前面１５、背面１６を備えている。また、噴霧装置１には、薬液が置かれる薬液台２１が設けられている。この薬液台２１は、噴霧装置１の幅方向に沿って配置され、また、装置本体１Ａの前面１５側に取り付けられている。
【０００９】
本実施形態の噴霧装置１では、同時に、３人の患者に対する薬液の提供（噴霧）を行えるようになっており、薬液の噴霧のためのユニット（以下、「噴霧用ユニット」と称する）が３人分用意されている。具体的には、本実施形態の噴霧装置１では、噴霧用ユニット１０Ａ〜１０Ｃが設けられている。なお、薬液台２１については共用される形となっており、薬液台２１は、３つの噴霧用ユニット１０Ａ〜１０Ｃを横断する形で設けられている。
【００１０】
噴霧用ユニット１０Ａ〜１０Ｃについて詳細に説明する。なお、噴霧用ユニット１０Ａ〜１０Ｃの各々は同様に構成されており、ここでは、噴霧用ユニット１０Ｃについて説明する。噴霧用ユニット１０Ｃには、操作者（患者や看護師）による操作を受け付けるとともに操作者に対する情報の表示を行うＵＩ（User Interface）２４が設けられている。また、ＵＩ２４の下方には、空気（圧縮空気）が排出される空気排出部２５が設けられている。この空気排出部２５は、前面１５から突出するように設けられている。
【００１１】
図２は、空気排出部２５に接続された薬液霧発生ユニットを示した図である。
図１では図示を省略したが、図２に示すように、薬液台２１上には薬液霧発生ユニット２００が置かれる。この薬液霧発生ユニット２００には、一端が空気排出部２５に接続されるチューブ２１０が設けられている。さらに、チューブ２１０からの空気が供給される薬液収容部２２０が設けられている。薬液収容部２２０では、チューブ２１０によって供給されてきた空気が薬液と混合し、薬液が霧状になる。さらに、本実施形態では、薬液収容部２２０に取り付けられ、患者への薬液の噴霧を行う薬液噴霧部２３０が設けられている。
【００１２】
薬液霧発生ユニット２００では、薬液収容部２２０において、上記のとおり、チューブ２１０によって供給されてきた空気が薬液と混合し、薬液が霧状になる。そして、霧状となったこの薬液が、薬液噴霧部２３０の端部に設けられた２つの排出口２３１から排出される。なお、図２では、排出口２３１の部分が患者の鼻腔に挿入される薬液噴霧部２３０を例示しているが、患者に接する部分がマスク状に形成される薬液噴霧部２３０も存在する。また、図２では、薬液収容部２２０に対して直接、薬液噴霧部２３０が取り付けられた態様を例示しているが、薬液収容部２２０と薬液噴霧部２３０とを離して設けてもよい。
【００１３】
図１を再び参照し、噴霧用ユニット１０Ｃについてさらに説明する。
噴霧用ユニット１０Ｃには、患者と対峙する側である前面１５側且つ上部に、上部パネル４１が設けられている。付言すると、噴霧用ユニット１０Ｃの表面には、噴霧用ユニット１０Ｃの一部を覆う上部パネル４１が設けられている。さらに、上部パネル４１の下方には、下部パネル４３が設けられ、上部パネル４１と下部パネル４３との間には、中間パネル４２が設けられている。
また、噴霧用ユニット１０Ｃには、３つの薬液ボトル５０が設けられている。この３つの薬液ボトル５０は、薬液台２１の内部に収容されている。薬液ボトル５０の各々には、空気供給用チューブ（後述）が接続され、この空気供給用チューブによって、薬液ボトル５０に空気（圧縮空気）が供給される。これにより、上記と同様、薬液霧が発生する。
【００１４】
そして、本実施形態では、この薬液霧が、噴霧用ユニット１０Ｃの内部に収容された内部ホース１００を通り、上部パネル４１に形成された開口５２まで供給される。この開口５２には、外部ホース５４が取り付けられており、開口５２まで供給された薬液霧は、外部ホース５４を通じて、患者の鼻腔等に供給される。より具体的には、外部ホース５４の先端部には、上記薬液噴霧部２３０と同様の機能を有する薬液噴霧部（不図示）が取り付けられており、この薬液噴霧部を通じ、患者の鼻腔等に薬液霧が供給される。
【００１５】
図３は、上部パネル４１および薬液台２１の図示を省略した状態の噴霧用ユニット１０Ｃを示した図である。
同図に示すように、３つの薬液ボトル５０は、中間パネル４２の対向位置に配置される。さらに、この３つの薬液ボトル５０は、収容皿８０の上に載せられている。また、収容皿８０の上には、薬液ボトル５０の移動を規制するボトル固定部材９０（図３では不図示、後述）が設けられている。
【００１６】
中間パネル４２には、噴霧用ユニット１０Ｃの内部と外部とを通じさせる矩形状の開口４２Ａが形成されており、この開口４２Ａを内部ホース１００が通ることで、中間パネル４２の背後に位置する内部ホース１００が、中間パネル４２の前面側に位置する薬液ボトル５０まで達するようになっている。さらに、本実施形態では、上部パネル４１（図３では不図示）および中間パネル４２の背後に、内部ホース１００の案内を行うホース案内板２０５が設けられている。
【００１７】
ホース案内板２０５は、鉛直方向に沿った平面であって噴霧装置１の奥行き方向に沿った平面（仮想平面、不図示）における断面の形状がＣ字状に形成されている。付言すると、ホース案内板２０５は、噴霧用ユニット１０Ｃの手前側から奥側に向かって進行した後にこの手前側に戻る形状で形成され、且つ、曲率を有する形状で形成されている。
また、ホース案内板２０５の図中下端部には、３つの貫通孔２５０（図３では１つのみ表示）が形成されている。
【００１８】
そして、本実施形態では、この貫通孔２５０を、供給管の一例としての空気供給用チューブ５６が通るようになっている。この空気供給用チューブ５６は、薬液ボトル５０に接続されており、これにより、不図示のコンプレッサーからの空気が薬液ボトル５０に供給され、薬液霧が発生する。なお、図３では、１本の空気供給用チューブ５６のみ図示しているが、空気供給用チューブ５６は、３つ設けられた薬液ボトル５０に対応するように３本設けられている。
【００１９】
図４、図５は、噴霧用ユニット１０Ｃの斜視図である。
上記では説明を省略したが、薬液台２１の上面には、開口が形成されており、通常時においては、この開口は、図４、図５に示すように、塞ぎ板２１Ｂによって塞がれている。そして、塞ぎ板２１Ｂを外すと、塞ぎ板２１Ｂの下方に位置する３つの薬液ボトル５０（薬液台２１の内部に収容された３つの薬液ボトル５０）が現れるようになる。
【００２０】
図６は、薬液ボトル５０を説明する図である。
収容容器の一例としての薬液ボトル５０には、薬液を収容するボトル本体５０Ａが設けられている。さらに、ボトル本体５０Ａの上部には、薬液の補充に用いられる補充用開口５０Ｂ、補充用開口５０Ｂを塞ぐ蓋部材５０Ｃが設けられている。
また、ボトル本体５０Ａの外周面から突出した第１突出部５０Ｄが設けられている。第１突出部５０Ｄには、空気供給用チューブ５６が接続される。また、第１突出部５０Ｄは、円筒状に形成されており、空気供給用チューブ５６によって供給されてきた空気を、ボトル本体５０Ａの内部へ供給する。
【００２１】
また、薬液ボトル５０には、ボトル本体５０Ａの外周面から突出した第２突出部５０Ｅが設けられている。第２突出部５０Ｅには、第２突出部５０Ｅと内部ホース１００（図３参照）との接続に用いられる円筒状のコネクタ５０Ｆが取り付けられている。第２突出部５０Ｅも円筒状に形成されており、第２突出部５０Ｅは、ボトル本体５０Ａから排出される空気（薬液霧）を、このコネクタ５０Ｆを介して、内部ホース１００へ供給する。
【００２２】
ここで、本実施形態では、第２突出部５０Ｅの外径よりもコネクタ５０Ｆの外径の方が大きくなっており、これにより、本実施形態では、コネクタ５０Ｆの端面５０Ｇと、ボトル本体５０Ａの外面との間に、間隙５０Ｈが形成されている。
なお、第１突出部５０Ｄおよび第２突出部５０Ｅは、ボトル本体５０Ａの周方向において、１８０°ずらされた状態で設けられている。
【００２３】
また、薬液ボトル５０の内部には、第１突出部５０Ｄを通って供給されてきた空気が通る空気通過管５０Ｊと、この空気通過管５０Ｊから分岐し且つ下方に向かうように形成された分岐管５０Ｋとが設けられている。空気通過管５０Ｊの図中右端部には、吹き出し口５０Ｐが形成されており、空気通過管５０Ｊを通った空気は、この吹き出し口５０Ｐから排出される。
【００２４】
また、分岐管５０Ｋの図中下端部には、薬液吸入口５０Ｍが形成されている。ここで、本実施形態では、空気通過管５０Ｊの内部を、空気を通過するのに伴い、分岐管５０Ｋに設けられた薬液吸入口５０Ｍから、薬液の吸引が行われる。そして、この薬液は、分岐管５０Ｋを経由し、分岐管５０Ｋと空気通過管５０Ｊとの接続箇所に達する。そして、この接続箇所にて、薬液と空気とが混合する。
そして、空気と薬液とが混合した混合物が、空気通過管５０Ｊの吹き出し口５０Ｐから吹き出すようになる。吹き出し口５０Ｐから吹き出したこの混合物は、吹き出し口５０Ｐの対向位置に設けられた吹き付け部５０Ｎに吹きつけられる。これにより、この混合物が霧状となり、薬液霧が発生する。
【００２５】
図７は、収容皿８０の上に設置されるボトル固定部材９０を説明する図である。
図７（Ａ）に示すように、ボトル固定部材９０には、２つの脚部９１が設けられている。さらに、この２つの脚部９１により両端部が支持され、水平方向への薬液ボトル５０の移動を規制する移動規制板９２が設けられている。
さらに、移動規制板９２に形成され、薬液ボトル５０が収容される円形の貫通孔９３、薬液ボトル５０に形成された第１突出部５０Ｄ（図６参照）の移動を規制する第１規制部９４、薬液ボトル５０に形成された第２突出部５０Ｅ（図６参照）の移動を規制する第２規制部９５が設けられている。なお、貫通孔９３、第１規制部９４、および、第２規制部９５は、３つ設けられた薬液ボトル５０に対応するように３組設けられている。
【００２６】
移動規制部の一例としての第１規制部９４は、矩形状に形成された板状の基材９４Ａと、この基材９４Ａの図中右側辺９４Ｃから基材９４Ａの内部方向に向かう溝（凹部）９４Ｂとにより構成されている。また、第２規制部９５は、矩形状に形成された板状の基材９５Ａと、この基材９５Ａの図中左側辺９５Ｄから基材９５Ａの内部方向に向かう溝（凹部）９５Ｂとにより構成されている。
【００２７】
ボトル固定部材９０への薬液ボトル５０の設置は、図７（Ａ）の矢印７Ａに示すように、まず、貫通孔９３の上方から貫通孔９３に向けて薬液ボトル５０を移動させ、貫通孔９３の内部に、薬液ボトル５０（ボトル本体５０Ａ）を収容する。付言すると、本実施形態では、貫通孔９３が設けられている部分が、容器設置部となっており、本実施形態では、貫通孔９３が設けられている部分に、薬液ボトル５０を設置する。容器設置部に薬液ボトル５０を設置すると、収容皿８０の上に薬液ボトル５０が置かれた状態となり、収容皿８０によって薬液ボトル５０の底部が支持される。
【００２８】
次いで、本実施形態では、同図の矢印７Ｂに示すように、薬液ボトル５０を時計回り方向に回転させる。これにより、図７（Ｂ）に示すように、第１規制部９４に設けられた溝９４Ｂ内に、薬液ボトル５０の第１突出部５０Ｄが入り込み、第２規制部９５に設けられた溝９５Ｂ内に、薬液ボトル５０の第２突出部５０Ｅが入り込む。
これにより、薬液ボトル５０の移動が規制されるようになる。具体的には、第１規制部９４に第１突出部５０Ｄが引っ掛かり、第２規制部９５に第２突出部５０Ｅが引っ掛かることで、上方への薬液ボトル５０の移動が規制されるようになる。
【００２９】
付言すると、本実施形態では、第１規制部９４に設けられた溝９４Ｂの内部、および、第２規制部９５に設けられた溝９５Ｂの内部が、移動規制位置となっており、薬液ボトル５０を時計回り方向に回転させると、この移動規制位置に、第１突出部５０Ｄ、第２突出部５０Ｅが達し、第１突出部５０Ｄ、第２突出部５０Ｅの移動が規制されるようになる。
【００３０】
ここで、本実施形態では、上記のとおり、薬液ボトル５０に内部ホース１００が接続されるが、この内部ホース１００は剛性を有しており、この内部ホース１００の影響を受けて、薬液ボトル５０が傾くことがある。ここで、薬液ボトル５０が傾くと、内部の薬液の液面が、薬液吸入口５０Ｍ（図６参照）よりも下方に位置し、薬液の吸引ができず、薬液霧が生成されてなくなってしまうおそれがある。
【００３１】
一方で、本実施形態では、内部ホース１００の影響を受けて薬液ボトル５０が傾こうとしても、第１規制部９４に第１突出部５０Ｄが引っ掛かり、第２規制部９５に第２突出部５０Ｅが引っ掛かることで、この傾きを抑えられるようになり、薬液が生成されなくなるという事態の発生が抑制される。
【００３２】
また、本実施形態では、貫通孔９３（図７（Ａ）参照）の内部に薬液ボトル５０が収容されることで、水平方向への薬液ボトル５０の移動も規制される。具体的には、移動規制板９２のうち、貫通孔９３の周縁の部分に対し、薬液ボトル５０が接触することで、水平方向への薬液ボトル５０の移動が規制される。さらに、本実施形態では、間隙５０Ｈ（図６参照）内に、第２規制部９５の基材９５Ａ（図７（Ａ）参照）が入り込み、これによっても、水平方向（第２突出部５０Ｅが延びる方向）への薬液ボトル５０の移動が規制される。
【００３３】
なお、本実施形態では、抑制手段として機能する空気供給用チューブ５６によって、図７（Ａ）に示した矢印７Ｂとは反対方向への薬液ボトル５０の回転が抑制され、これにより、第１規制部９４の溝９４Ｂから、第１突出部５０Ｄが外れることが起きにくくなる。また、同様に、第２規制部９５の溝９５Ｂから、第２突出部５０Ｅが外れることが起きにくくなる。
【００３４】
より具体的に説明すると、図３に示すように、空気供給用チューブ５６は、第１突出部５０Ｄに接続された箇所を始点とした場合に、時計回り方向に向かって進行するように配置されている。付言すると、空気供給用チューブ５６は、薬液ボトル５０に一端が取り付けられ、さらに、この一端を始点として、薬液ボトル５０に巻き付くように設けられている。これにより、反時計回り方向への薬液ボトル５０の回転が規制され、溝９４Ｂ，９５Ｂから、第１突出部５０Ｄ、第２突出部５０Ｅが外れにくくなっている。
【００３５】
図８（薬液ボトル５０、空気供給用チューブ５６等を上方から眺めた場合の図）を参照してさらに説明すると、本実施形態では、ホース案内板２０５に形成された貫通孔２５０（図３も参照）が、薬液ボトル５０の背後（真裏）に位置しておらず、図中左側にずれて配置されている。付言すると、ホース案内板２０５のうち、空気供給用チューブ５６を支持する部分が、薬液ボトル５０の背後に位置しておらず、図中左側にずれて配置されている。
【００３６】
このため、ユーザが空気供給用チューブ５６を配置する際、この空気供給用チューブ５６は、薬液ボトル５０の図中左側に配置される可能性が高まる。そして、空気供給用チューブ５６が、薬液ボトル５０の図中左側に配置されると、上記のとおり、空気供給用チューブ５６は、第１突出部５０Ｄに接続された箇所を始点として、時計回り方向に向かって進行するように配置される。そして、この場合、上記のとおり、矢印７Ｂで示した方向とは反対方向への薬液ボトル５０の回転が抑えられ、溝９４Ｂ，９５Ｂから、第１突出部５０Ｄ、第２突出部５０Ｅが外れにくくなる。
【００３７】
このように、ホース案内板２０５に形成された貫通孔２５０を、薬液ボトル５０の背後ではなく、図中左側にずらして配置した場合は、ユーザによる特別な操作無しに（ユーザに特別な操作を強いることなく）、自然と、薬液ボトル５０の左側に空気供給用チューブ５６が配置される。そして、この場合、ユーザによる特別な操作無しに、溝９４Ｂ，９５Ｂからの、第１突出部５０Ｄ、第２突出部５０Ｅの外れを、起きにくくすることができる。
【００３８】
なお、上記では、第１規制部９４および第２規制部９５の２つの規制部を設けた場合を一例に説明したが、何れか一方の規制部を省略することもできる。図９は、第１規制部９４を省略したボトル固定部材９０を例示しており、この構成例でも、第２突出部５０Ｅが第２規制部９５に引っ掛かるようになり、規制部が全く設けられていない場合に比べ、薬液ボトル５０の傾きが抑えられるようになる。
また、上記では、ボトル固定部材９０に凹部（溝９４Ｂ、９５Ｂ）を形成し、薬液ボトル５０に、この凹部に入り込む突出部（第１突出部５０Ｄ、第２突出部５０Ｅ）を設けた場合を一例に説明したが、ボトル固定部材９０に突出部を設け、薬液ボトル５０に凹部を設け、ボトル固定部材９０の突出部が、薬液ボトル５０の凹部に入り込むようにしてもよい。
【００３９】
図１０は、ボトル固定部材９０の他の構成例を示した図である。
図１０（Ａ）に示す構成例では、貫通孔９３が長穴状に形成されている。さらに、貫通孔９３は、移動規制板９２の長手方向に沿うように形成されている。また、第１規制部９４には、上記と同様、基材９４Ａ、溝９４Ｂが設けられている。この溝９４Ｂは、基材９４Ａの左側辺９４Ｄから基材９４Ａの内部方向に向かうように形成されている。また、第２規制部９５にも、基材９５Ａと、溝９５Ｂとが設けられている。この溝９５Ｂも、基材９５Ａの左側辺９５Ｄから基材９５Ａの内部方向に向かうように形成されている。
【００４０】
ここで、ボトル固定部材９０への薬液ボトル５０の設置は、同図の点線（符号９Ａ参照）に示すように、貫通孔９３の図中左端部に、薬液ボトル５０をまず収容する。なお、このとき、第１突出部５０Ｄ（図６参照）が図中手前側に位置するように（第１規制部９４が設けられている側に位置するように）、また、第２突出部５０Ｅが図中奥側に位置するように（第２規制部９５が設けられている側に位置するように）、薬液ボトル５０を収容する。
【００４１】
次いで、矢印９Ｂに示すように、長穴状に形成された貫通孔９３に沿って図中右下方向に、薬液ボトル５０をスライド移動させる。これにより、第１規制部９４に設けられた溝９４Ｂ内に第１突出部５０Ｄが収容され、第２規制部９５に設けられた溝９５Ｂ内に第２突出部５０Ｅが収容される。
なお、図示は省略しているが、この構成例においても、図３にて示したように、空気供給用チューブ５６が、時計回り方向に巻き付くように配置されており、これにより、反時計回り方向への薬液ボトル５０の移動が規制されている。これにより、図１０（Ａ）に示した構成例では、第２規制部９５に設けられた溝９５Ｂからの第２突出部５０Ｅの外れが生じにくくなる。
【００４２】
次に、図１０（Ｂ）に示す構成例を説明する。
この構成例では、第１規制部９４の基材９４Ａに形成された溝９４Ｂが、基材９４Ａの右側辺９４Ｃから基材９４Ａの内部に向かうように形成されている。また、第２規制部９５側でも、基材９５Ａに形成された溝９５Ｂが、基材９５Ａの右側辺９５Ｃから基材９５Ａの内部に向かうように形成されている。
【００４３】
ここで、ボトル固定部材９０への薬液ボトル５０の取り付けは、同図の点線（符号９Ｃ参照）に示すように、貫通孔９３のうちの図中右端部に、薬液ボトル５０をまず収容する。なお、このとき、上記と同様、第１突出部５０Ｄが図中手前側に位置するように（第１規制部９４が設けられている側に位置するように）、また、第２突出部５０Ｅが図中奥側に位置するように（第２規制部９５が設けられている側に位置するように）、薬液ボトル５０を収容する。
【００４４】
次いで、矢印９Ｄに示すように、長穴状に形成された貫通孔９３に沿って図中左上方向に、薬液ボトル５０をスライド移動させる。これにより、第１規制部９４に設けられた溝９４Ｂ内に第１突出部５０Ｄが収容され、第２規制部９５に設けられた溝９５Ｂ内に、第２突出部５０Ｅが収容される。
なお、この構成例においても、図３にて示したように、空気供給用チューブ５６が、時計回り方向に巻き付くように配置されており、これにより、反時計回り方向への薬液ボトル５０の移動が規制されている。これにより、図１０（Ｂ）にて示した構成例では、第１規制部９４に設けられた溝９４Ｂからの第１突出部５０Ｄの外れが生じにくくなる。
【００４５】
ここで、図７〜図１０にて示した構成では、噴霧装置１に対する薬液ボトル５０の固定を簡易に行うことができるようになる。より具体的には、薬液ボトル５０を回転させ、あるいは、薬液ボトル５０を一方向にスライド移動させるだけで、薬液ボトル５０の固定を行うことができるようになる。
なお、装置の小型化を図るという観点からは、薬液ボトル５０を回転させて固定する態様の方が、薬液ボトル５０をスライド移動させて固定する態様に比べ、装置の小型化を実現しやすい。付言すると、薬液ボトル５０を回転させて固定する態様では、薬液ボトル５０をスライド移動させるための空間が不要となるため、この空間の分だけ、装置の小型化を図れる。
【符号の説明】
【００４６】
１…噴霧装置（ネブライザー）、５０…薬液ボトル、５０Ｄ…第１突出部、５０Ｅ…第２突出部、５６…空気供給用チューブ、９４…第１規制部、９４Ｂ…溝（凹部）、９５Ｂ…溝（凹部）
【図１】
2015198774.tif 000003
【図２】
2015198774.tif 000004
【図３】
2015198774.tif 000005
【図４】
2015198774.tif 000006
【図５】
2015198774.tif 000007
【図６】
2015198774.tif 000008
【図７】
2015198774.tif 000009
【図８】
2015198774.tif 000010
【図９】
2015198774.tif 000011
【図１０】
2015198774.tif 000012